(57)【要約】  【課題】室外障子の縦框に擦り傷を付けることが無いとともに、障子が開いている場合は、当初からハンドルの回動が完全に阻止されるようにすることで、過大な力の加え過ぎを防止し、クレセント錠が破壊されるのを防止する。  【解決手段】クレセント錠１は、前記ベース部材３に、室内外方向に沿う水平ガイド溝３ｃと、この水平ガイド溝３ｃの中間部から連続してクレセント５の略回動方向に沿う回動ガイド溝３ｄとが設けられ、一方前記クレセント５を含む回動側に、室内外方向にスライド可能に保持されるとともに、付勢手段によって室外側に付勢され、かつ解錠状態で前記水平ガイド溝３ｃに係合する係合ピン９ｂを備えた空掛け防止部材９を設けるとともに、前記操作レバー６に対して、平時は前記空掛け防止部材９を付勢力に抗して室内側寄り位置に保持し、施錠時操作に伴い前記空掛け防止部材９の位置保持を解除するトリガー部材１０を設ける。【選択図】図４
2006057303.tif 000002
【特許請求の範囲】
【請求項１】
室内障子側に固定されるベース部材と、このベース部材に回動自在に取り付けられたクレセントと、このクレセントを回動操作する操作レバーとを備える施錠側金具、及び室外障子側に固定され前記クレセントが係合するためのフック部を有するクレセント受け金具からなるクレセント錠において、
前記ベース部材に、室内外方向に沿う水平ガイド溝と、この水平ガイド溝の中間部から連続してクレセントの略回動方向に沿う回動ガイド溝とが設けられ、一方前記クレセントを含む回動側に、室内外方向にスライド可能に保持されるとともに、付勢手段によって室外側に付勢され、かつ解錠状態で前記水平ガイド溝に係合する係合ピンを備えた空掛け防止部材を設けるとともに、前記操作レバーに対して、平時は前記空掛け防止部材を付勢力に抗して室内側寄り位置に保持し、施錠時操作に伴い前記空掛け防止部材の位置保持を解除するトリガー部材を設け、
クレセントの回動操作時に室内障子及び室外障子が正常に閉鎖されているならば、前記トリガー部材による解除操作により前記空掛け防止部材が室外側に突出し、室外側端部がクレセント受け金具に当接し前記係合ピンが前記水平ガイド溝と回動ガイド溝との交点部に位置決めされ、前記係合ピンが回動ガイド溝に進入可能となることにより前記操作レバーの回動が許容され、前記室内障子及び室外障子が正常に閉鎖されていないならば、前記トリガー部材による解除操作により前記空掛け防止部材が全突出状態となり、前記係合ピンが水平ガイド溝の室外側端部に位置決めされ、前記係合ピンが回動ガイド溝に進入不能となることにより前記操作レバーの回動が阻止されるようにしたことを特徴とするクレセント錠。
【請求項２】
前記トリガー部材は、操作レバーに対して揺動可能に支持された部材とされ、かつ前記空掛け防止部材の付勢手段よりも強い付勢力を持つ手段によって前記空掛け防止部材を室内側寄り位置に保持するとともに、前記操作レバーの室外側面に、指の掛かり部を突出させた状態で配置されている請求項１記載のクレセント錠。
【発明の詳細な説明】
【技術分野】
【０００１】
本発明は、室内障子及び室外障子が共に閉鎖された状態時にのみ施錠を可能とした空掛け防止機能付きのクレセント錠に関する。
【背景技術】
【０００２】
従来より、引き違い窓等のサッシ用施錠装置としてクレセント錠が知られている。このクレセント錠は、図１１に示されるように、室内障子５４の縦框に取り付けられるベース部材５１と、このベース部材５１に対してクレセント軸５３を介して回動自在に取り付けられた笠金状のクレセント５２と、室外障子５５に取り付けられ前記クレセント５２が係合するためのフック部５６ａを有するクレセント受け金具５６とからなる施錠装置５０である（例えば、下記特許文献１等参照）。
【０００３】
また、上記クレセント錠５０の場合は、内障子又は外障子が開放状態にあっても、クレセント５２を回動させることが可能であり、この施錠状態のまま障子を閉めると、外障子の縦框（召合せ框含む。）が室外側に突出したクレセント５２に衝突し、クレセントが変形したり損傷したりすることがあった。
【０００４】
上記問題を解決するために、例えば下記特許文献２〜４では、内障子及び外障子が正常閉鎖位置にあるとき以外はクレセント錠のハンドルが施錠方向に回転しないようにしたクレセント錠が提案されている。
【０００５】
前記特許文献２，３で提案されているクレセント錠は、外障子側へ突出した状態でハンドルの回動を阻止している突出部（感知部）を有しており、内障子および外障子を閉鎖したときに上記突出部が外障子の召合せ框に接触して没入することによりハンドルの回動阻止状態が解除されるように構成されたものである。
【０００６】
また、特許文献４で提案されているクレセント錠は、基台とクレセントとの間においてクレセント軸に回転自在に嵌め被せられ、かつクレセントの回転に伴ってこれと同方向に回転してその一部が内側障子の縦框の外面よりも外方に突出するようになされた施錠可能位置確認部材と、受け金に設けられかつクレセントと受け金とが施錠可能位置にあるときにクレセントとともに回転した施錠可能位置確認部材の一部が当接する当接部と、施錠可能位置確認部材の一部が受け金の当接部に当接した場合にクレセントのそれ以上の施錠方向への回転を許容するとともに、施錠可能位置確認部材の一部が受け金の当接部に当接しない場合にクレセントのそれ以上の施錠方向への回転を阻止する手段とを備えているものである。
【０００７】
さらに、特許文献５では、内障子の召合せ框に操作レバーの回動により回動しつつ延出する掛け部を有するクレセント錠を設け、外障子の召合せ框に上記掛け部が係合するクレセント受けを設け、上記掛け部を含む回動側に揺動可能な揺動体を設け、この揺動体の一端を固定側に設けられた係止部に係止させて上記操作レバーの所定角度以上の回動を阻止すると共に、上記内障子と外障子が正常閉鎖位置にあるときに上記操作レバーの回動で上記揺動体の他端が上記クレセント受けもしくは外障子の召合せ框に当接する反力で上記揺動体の一端と係止部の係止状態を解除するようにしたクレセント錠が提案されている。
【特許文献１】特開平１１−９３４８８号公報
【特許文献２】実公昭５７−５２３０３号公報
【特許文献３】実開昭５８−２５４６７号公報
【特許文献４】特開平９−２１７５３７号公報
【特許文献５】特開平９−１５８５８４号公報
【発明の開示】
【発明が解決しようとする課題】
【０００８】
しかしながら、上記特許文献２、３に記載されるクレセント錠の場合には、内障子や外障子を開閉する度に上記突出部が外障子の縦框等に接触するため、縦框に擦り傷が生じるようになる。また、前記突出部を外障子に対して接触させるためには、突出部側の機構を内障子の縦框内部に組み込まなければならず、構造が複雑化するなどの問題がある。
【０００９】
また、前記特許文献４に記載されるクレセント錠の場合には、受け金にＬ字状の屈曲する当接部を連設するものであり、この当接部が衣類に引っ掛かったり、手に切り傷を負う原因となるなどの問題がある。また、居住者が誤って室内障子及び／又は室外障子が開いた状態で施錠を図ろうとした場合、途中までは操作レバーの回動操作が可能であるため、過大な力を加え過ぎることがあり、クレセント錠を破壊してしまうことがあった。
【００１０】
さらに、前記特許文献５に記載されるクレセント錠の場合も同様に、ハンドルの回動により前記揺動体の他端がクレセント受け若しくは外障子の召合せ框に当接する反力によって回動阻止機構を解除するものであるため、居住者が誤って室内障子及び／又は室外障子が開いた状態で施錠を図ろうとした場合、途中までは操作レバーの回動操作が可能であるため、過大な力を加え過ぎることがあり、クレセント錠を破壊してしまうことがあった。
【００１１】
そこで本発明の主たる課題は、室外障子の縦框に擦り傷を付けることが無いとともに、室内障子及び／又は室外障子が開いた状態で施錠を図ろうとした場合は、当初からハンドルの回動が阻止されるようにすることで、クレセント錠への過大な力の加え過ぎを防止し、クレセントが破壊されるのを防止したクレセント錠を提供することにある。
【課題を解決するための手段】
【００１２】
前記課題を解決するために請求項１に係る本発明として、室内障子側に固定されるベース部材と、このベース部材に回動自在に取り付けられたクレセントと、このクレセントを回動操作する操作レバーとを備える施錠側金具、及び室外障子側に固定され前記クレセントが係合するためのフック部を有するクレセント受け金具からなるクレセント錠において、
前記ベース部材に、室内外方向に沿う水平ガイド溝と、この水平ガイド溝の中間部から連続してクレセントの略回動方向に沿う回動ガイド溝とが設けられ、一方前記クレセントを含む回動側に、室内外方向にスライド可能に保持されるとともに、付勢手段によって室外側に付勢され、かつ解錠状態で前記水平ガイド溝に係合する係合ピンを備えた空掛け防止部材を設けるとともに、前記操作レバーに対して、平時は前記空掛け防止部材を付勢力に抗して室内側寄り位置に保持し、施錠時操作に伴い前記空掛け防止部材の位置保持を解除するトリガー部材を設け、
クレセントの回動操作時に室内障子及び室外障子が正常に閉鎖されているならば、前記トリガー部材による解除操作により前記空掛け防止部材が室外側に突出し、室外側端部がクレセント受け金具に当接し前記係合ピンが前記水平ガイド溝と回動ガイド溝との交点部に位置決めされ、前記係合ピンが回動ガイド溝に進入可能となることにより前記操作レバーの回動が許容され、前記室内障子及び室外障子が正常に閉鎖されていないならば、前記トリガー部材による解除操作により前記空掛け防止部材が全突出状態となり、前記係合ピンが水平ガイド溝の室外側端部に位置決めされ、前記係合ピンが回動ガイド溝に進入不能となることにより前記操作レバーの回動が阻止されるようにしたことを特徴とするクレセント錠が提供される。
【００１３】
上記請求項１記載の発明においては、通常のクレセント構成部材の他に、前記空掛け防止部材とトリガー部材とを設けるようにした。施錠操作に当たり、最初に前記トリガー部材による解除操作により前記空掛け防止部材を室外側に突出させるようにする。仮に、室内障子及び室外障子が正常に閉鎖されているならば、空掛け防止部材の室外側端部がクレセント受け金具に当接して前記係合ピンが前記水平ガイド溝と回動ガイド溝との交点部に位置決めされ、前記係合ピンが回動ガイド溝に進入可能となることにより前記操作レバーの回動が許容されるようになる。一方、室内障子及び室外障子が正常に閉鎖されていないならば、前記トリガー部材による解除操作により前記空掛け防止部材はクレセント受け金具に当接しないため全突出状態となり、前記係合ピンが水平ガイド溝の室外側端部に位置決めされ、前記係合ピンが回動ガイド溝に進入不能となることにより前記操作レバーの回動が阻止される。
【００１４】
従って、前記空掛け防止部材が外障子と接触することがないので、室外障子の縦框に擦り傷を付けることが無い。また、トリガー部材の操作により、仮に室内障子及び室外障子が正常に閉鎖されていないならば、操作レバーは全く回動操作ができないため、クレセント錠への過大な力の加え過ぎが防止され、クレセントが破壊されるのを未然に防止することができる。
【００１５】
請求項２に係る本発明として、前記トリガー部材は、操作レバーに対して揺動可能に支持された部材とされ、かつ前記空掛け防止部材の付勢手段よりも強い付勢力を持つ手段によって前記空掛け防止部材を室内側寄り位置に保持するとともに、前記操作レバーの室外側面に、指の掛かり部を突出させた状態で配置されている請求項１記載のクレセント錠が提供される。
【００１６】
請求項２記載の本発明では、トリガー部材は操作レバーに対して揺動可能に支持された部材とされ、かつ付勢手段によって前記空掛け防止部材を室内側寄り位置に保持するとともに、前記操作レバーの室外側面に、指の掛かり部を突出させた状態で配設されている構造とする。従って、施錠を図るため操作レバーを掴むようにすると、自然に指がトリガー部材に掛かり、トリガー部材が最初に操作される。そして、このトリガー部材の操作により空掛け防止部材が作動し、操作レバーの回動操作が許容されるか或いは阻止されるかが決定される。
【発明の効果】
【００１７】
以上詳説のとおり本発明によれば、空掛け防止部材が外障子と接触することがないため、室外障子の縦框に擦り傷を付けることが無い。また、トリガー部材が最初に操作され、空掛け防止部材が作動することにより、仮に室内障子及び室外障子が正常に閉鎖されていないならば、操作レバーは全く回動操作ができない状態となるため、クレセント錠への過大な力の加え過ぎが防止され、クレセントが破壊されるのを未然に防止することができるようになる。
【発明を実施するための最良の形態】
【００１８】
以下、本発明の実施の形態について図面を参照しながら詳述する。
【００１９】
図１は本発明に係るクレセント錠１の施錠状態を示す、(A)は正面図、(B)は側面図、(C)は平面図であり、図２(A)は解錠状態、(B)は回動許容状態、(C)は回動阻止状態を夫々示す正面図、図３は分解図、図４は操作レバー６の分解図である。
【００２０】
前記クレセント錠１は、図１に示されるように、室内障子の召合せ框７Ａにビス等で取り付けられるベース部材３と、このベース部材３に対して回動軸４を回転中心として回動自在に取り付けられたクレセント５と、室内障子７及び室外障子８が共に閉鎖された状態時にのみ施錠を可能とするために追加された空掛け防止部材９及びトリガー部材１０と、前記回動軸４と一体的に連設された操作レバー６とからなる施錠側金物２、及び室外障子８の召合せ框８Ａにビス等で取り付けられ、前記クレセント５が係合するためのフック１１ａを備えたクレセント受け金具１１からなる。
【００２１】
そして、前記操作レバー６を摘み、クレセント５をほぼ１８０°回動させることにより、クレセントの周囲に形成された、壁高を斬次テーパー状に変化させた環状周壁５Ａが前記クレセント受け金具１１に係脱し、窓の施錠または解錠が成されるようになっている。なお、符号１２は、ベース部材３とクレセント５とを連結している連結用バネ材であり、クレセント５の回動時に操作レバー６が水平の状態から施錠位置および解錠位置に対して付勢させるためのものである。
【００２２】
本クレセント錠１では、室内障子７及び室外障子８が共に閉鎖された状態にある時以外は、クレセント錠１の操作レバー６が施錠方向に回動できないようにした空掛け防止機能を備えている。すなわち、図２(A)(B)に示されるように、室内障子及び室外障子（図２以降では図示せず）が共に閉鎖されていれば、操作レバー６は回動が許容され回動操作が可能とされ、図２(C)に示されように、室内障子及び室外障子（図２以降では図示せず）が共に閉鎖されてなければ、操作レバー６は解錠状態で回動が阻止され操作できないようになっている。
【００２３】
具体的に本クレセント錠１では、前記ベース部材３に、室内外方向に沿う水平ガイド溝３ｃと、この水平ガイド溝３ｃの中間部から連続してクレセントの略回動方向に沿う回動ガイド溝３ｄとが設けられ、一方前記クレセント５を含む回動側に、室内外方向にスライド可能に保持されるとともに、付勢手段によって室外側に付勢され、かつ解錠状態で前記水平ガイド溝３ｃに係合する係合ピン９ｂを備えた空掛け防止部材９を設けるとともに、前記操作レバー６に対して、平時は前記空掛け防止部材９を付勢力に抗して室内側寄り位置に保持し、施錠時操作に伴い前記空掛け防止部材９の位置保持を解除するトリガー部材１０を設け、
クレセント５の回動操作時に室内障子７及び室外障子８が正常に閉鎖されているならば、前記トリガー部材１０による解除操作により前記空掛け防止部材９が室外側に突出し、室外側端部がクレセント受け金具１１に当接し前記係合ピン９ｂが前記水平ガイド溝３ｃと回動ガイド溝３ｄとの交点部に位置決めされ、前記係合ピン９ｂが回動ガイド溝３ｄに進入可能となることにより前記操作レバー６の回動が許容され、前記室内障子７及び室外障子８が正常に閉鎖されていないならば、前記トリガー部材１０による解除操作により前記空掛け防止部材９が全突出状態となり、前記係合ピン９ｂが水平ガイド溝３ｃの室外側端部に位置決めされ、前記係合ピン９ｂが回動ガイド溝３ｄに進入不能となることにより前記操作レバー６の回動が阻止されるようになっている。
【００２４】
以下、さらに詳細に部材毎に構造を詳述するとともに、作動状態について詳述する。
【００２５】
先ず、前記ベース部材３は、図３及び図５に示されるように、縦方向に長い直方体状の部材で、基台部３Ａと、ボス部３Ｂとからなる。前記基台部３Ａは上下部にそれぞれビス孔３ａ、３ａが形成され、室内障子の召合せ框７Ａにビス等で固定されるようになっている。前記ボス部３Ｂは、クレセント５が回動自在に取り付けられる台座面を構成する部分で、前記基台部３Ａよりも若干高く形成されるとともに、略中央に操作レバー６の回動軸４が挿通される軸孔３ｂが形成されている。
【００２６】
前記ボス部３Ｂの上面には、室内外方向に沿う水平ガイド溝３ｃと、この水平ガイド溝３ｃの中間部から連続してクレセントの略回動方向に沿う回動ガイド溝３ｄとからなる第１摺動溝３Ｃが設けられるとともに、傾斜ガイド溝３ｅと、この傾斜ガイド溝３ｅの上端から連続してクレセントの略回動方向に沿う第２回動ガイド溝３ｆとからなる第２摺動溝３Ｄが設けられている。
【００２７】
次いで、前記操作レバー６は、詳細には図４及び図６に示されるように、回動中心側部分に回動軸４が一体的に設けられた把手部材であり、その内面側にはトリガー部材１０を装着するためのトリガー部材用設置空間６Ａと、空掛け防止部材９を装着するための空掛け防止部材用設置空間６Ｂとが夫々形成されている。前記取付空間６Ａはトリガー部材１０の形状に対応して略く字状に屈曲した形状を成しており、屈曲位置近傍にはトリガー部材１０を揺動可能に支持するための揺動軸孔６ａが形成され、上部側にはこのトリガー部材１０を室内側に付勢するトリガー部材用バネ材１４（図４参照）を収容するためのバネ収容部６ｂが斜め上方に沿って形成されている。一方、前記空掛け防止部材用設置空間６Ｂは、前記トリガー部材１０に隣接するように、トリガー部材用設置空間６Ａよりも上方側位置に回動軸４を含む範囲に形成された空間である。また、前記操作レバー６の上端側にはクレセント５に形成された通孔５ｂ（図３参照）に係合し、操作レバー６の回動に伴ってクレセント５を同調的に回動させるための突部６ｃが形成されている。
【００２８】
前記空掛け防止部材９は、詳細には図７に示されるように、若干横長に形成された平板状部材であり、上部側に回動軸４を挿通した状態で、室内外方向にスライド可能とするために回動軸用長孔９ａが形成されるとともに、この長孔９ａの斜め上方位置に、解錠状態時に前記ベース部材３の水平ガイド溝３ｃに係合する係合ピン９ｂが突出して設けられている。また、該空掛け防止部材９を室外側に付勢保持するための空掛け防止部材用バネ材１５を収容するために、矩形状孔に形成されたバネ収容部９ｃが形成されている。さらに、前記バネ収容部９ｃの図中右側には、略三角形状のピン係合孔９ｄが形成されている。
【００２９】
一方、前記トリガー部材１０は、詳細には図８に示されるように、平面視でへ字状を成す屈曲部材であり、中間部に揺動軸１０ａが形成されている。また、上端側には、前記空掛け防止部材９のピン係合孔９ｄを貫通し、ベース部材３の第２摺動溝３Ｄに係合する係合ピン１０ｂが設けられるとともに、上面部にはトリガー用バネ部材１４の一端を係止するためのバネ係止突起１０ｃが設けられている。
【００３０】
〔部材の組立て〕
前記クレセント錠１の組立ては、先ず図４に示される要領によって操作レバー６側の組立てを行う。最初に操作レバー６のトリガー部材用設置空間６Ａ内にトリガー部材１０を組み込む。組込みは、操作レバー６の揺動軸孔６ａにトリガー部材１０の揺動軸１０ａを嵌合させるとともに、トリガー部材用設置空間６Ａのバネ収容部６ｂにトリガー用バネ部材１４を挿入し、一端をトリガー部材１０のバネ係止突起１０ｃに係止させた状態とする。
【００３１】
次いで、操作レバー６の空掛け防止部材用設置空間６Ｂに空掛け防止部材９を組み込む。組込みは、空掛け防止部材９の回動軸用長孔９ａに回動軸４を挿通するとともに、前記トリガー部材１０の係合ピン１０ｂを空掛け防止部材９のピン係合孔９ｄに挿通させるようにしながら設置する。また、空掛け防止部材９を室外側に付勢保持するための空掛け防止部材用バネ材１５をバネ収容部９ｃに設置し、蓋板１６を被せ、操作レバー６側の組立てを完了する。なお、この状態では、前記蓋板１６には切起しによって起立片１６ａが形成され、この起立片１６ａが前記バネ収容部９ｃに挿入され、前記空掛け防止部材用バネ材１５の他端が当接し空掛け防止部材９を室外側に付勢するようになっているとともに、前記トリガー部材１０は、前記空掛け防止部材９のバネ材１５よりも強い付勢力を持つバネ１４によって前記空掛け防止部材９の付勢力に抗して室内側寄り位置に保持するようになっており、前記トリガー部材１０の係合ピン１０ｂは空掛け防止部材９のピン係合孔９ｄの右端側（室内側）に位置するようになっている。
【００３２】
次に、図３に示されるように、前記操作レバー６、クレセント５及びベース部材３との組立ては、操作レバー６の回動軸４をクレセント５の軸孔５ａに挿入するとともに、操作レバー６に形成された突部６ｃをクレセント５に形成された通孔５ｂに嵌合させることによって操作レバー６と一体的にクレセント５が回動するようにし、かつ前記空掛け防止部材９の係合ピン９ｂをクレセント５に形成された水平方向の長孔５ｃに挿通させた状態でクレセント５を装着したならば、操作レバー６の回動軸４をベース部材３の軸孔３ｂに挿通し、裏面側において抜脱不能に止めるようにする。この組立て状態では、前記空掛け防止部材９の係合ピン９ｂがベース部材３の第１摺動溝３Ｃに係合するとともに、前記トリガー部材１０の係合ピン１０ｂが前記ボス部３Ｂの第２摺動溝３Ｄに係合している。
【００３３】
〔施錠時の作動動作〕
次いで、本クレセント錠１における施錠時作動状態を図９及び図１０により説明する。
【００３４】
図９は室内障子及び室外障子が共に閉鎖された状態であるため施錠が可能な場合の作動図を示し、図１０は室内障子及び／又は室外障子が開かれた状態であるため施錠が不可能な場合の作動図を示したものである。なお、説明の便宜のために図９では操作レバー６の回動角度を記載している。また、同様の理由から図９及び図１０においてはトリガー部材用バネ材１４及び空掛け防止部材用バネ材１５の図示は省略している。
【００３５】
〈障子閉鎖状態（施錠可能状態）〉
図９(A)は操作レバー６が下向きとなっている解錠状態を示したものである。本ケースでは、室内障子及び室外障子が共に閉鎖された状態であるため、空掛け防止部材９の対向位置にはクレセント受け金具１１のフック１１ａが定位しており、空掛け防止部材９の係合ピン９ｂは、水平ガイド溝３ｃの右端側に位置している。また、回動軸４は長孔９ａの図中左端側に当接している。
【００３６】
この状態で、施錠操作のために操作レバー６を掴むと、自然にトリガー部材１０に指が掛かり、そのまま施錠方向に回動させるようにしてトリガー部材１０を操作レバー６側へ押し込むと、図９(B)に示されるように、トリガー部材１０が揺動し空掛け防止部材９の位置規制が解除されることにより、前記空掛け防止部材９が室外側に突出し空掛け防止部材９がクレセント受け金具１１側に突出し、室外側端部がフック１１ａに当接する。この当接によって、同図９(B)に示されるように、前記空掛け防止部材９の係合ピン９ｂが水平ガイド溝３ｃと回動ガイド溝３ｄとの交点部に位置決めされ、前記係合ピン９ｂが回動ガイド溝３ｄに進入可能となることにより前記操作レバー６の回動が許容されるようになる。また同時に、トリガー部材１０の係合ピン１０ｂは揺動によって、傾斜ガイド溝３ｅと第２回動ガイド溝３ｆとの交点部に位置決めされるため、第２回動ガイド溝３ｆへの進入が可能となり、前記操作レバー６の回動が許容されるようになる。
【００３７】
この後、図９(C)〜図９(E)に示されるように、引き続き操作レバー６を回動させると、これに伴って空掛け防止部材９及びトリガー部材１０も、前記係合ピン９ｂ、係合ピン１０ｂが夫々回動ガイド溝３ｄ、第２回動ガイド溝３ｆを摺動しながら回動方向に沿って回動する。そして、最終的に図９(F)に示されるように操作レバー６が１８０°回動されると、クレセント５がフック１１ａに係合し、施錠が完了する。
【００３８】
〈障子開放状態（施錠不能状態）〉
一方、図１０(A)に示されるように、室内障子及び／又は室外障子が開かれた状態であるため、クレセント受け金具１１がクレセント対向位置に存在しない状態時に施錠が成されようとした場合には、図１０(B)に示されるように、トリガー部材１０が押し込まれ、空掛け防止部材９の位置規制が解除されると、該空掛け防止部材９は全突出の状態となり、空掛け防止部材９の係合ピン９ｂは水平ガイド溝３ｃと回動ガイド溝３ｄの交点部を越えて水平ガイド溝３ｃの左端側まで移動するため、前記係合ピン９ｂが回動ガイド溝３ｄに進入不能となることにより前記操作レバー６の回動が阻止されるようになる。
【００３９】
〔その他の形態例〕
(1)上記形態例において、トリガー部材１０は操作レバー６に対して揺動可能に支持された部材とされ、かつ付勢手段によって前記空掛け防止部材９を室内側寄り位置に保持するとともに、前記操作レバー６の室外側面に、指の掛かり部を突出させた状態で配設した構造としたが、前記トリガー部材１０は押しボタン方式とされ、この押操作により前記空掛け防止部材９の位置規制を解除する構造としてもよい。
【図面の簡単な説明】
【００４０】
【図１】本発明に係るクレセント錠１を示す(A)は正面図、(B)は側面図、(C)は平面図である。
【図２】(A)は解錠状態、(B)は回動許容状態、(C)は回動阻止状態を夫々示す正面図である。
【図３】クレセント錠１の分解図である。
【図４】操作レバー６の分解図である。
【図５】ベース部材３を示す、(A)は左側面図、(B)は正面図、(C)は右側面図である。
【図６】操作レバー６を示す、(A)は左側面図、(B)は正面図、(C)は右側面図である。
【図７】空掛け防止部材９を示す、(A)は正面図、(B)は右側面図である。
【図８】トリガー部材１０を示す、(A)は正面図、(B)は左側面図である。
【図９】障子閉鎖状態（施錠可能状態）の作動図(A)〜(F)である。
【図１０】障子開放状態（施錠不能状態）の作動図(A)・(B)である。
【図１１】従来のクレセント錠を示す斜視図である。
【符号の説明】
【００４１】
１…クレセント錠、２…施錠側金物、３…ベース部材、３Ａ…基台部、３Ｂ…ボス部、３Ｃ…第１摺動溝、３Ｄ…第２摺動溝、３ａ…ビス孔、３ｂ…軸孔、３ｃ…水平ガイド溝、３ｄ…回動ガイド溝、３ｅ…傾斜ガイド溝、３ｆ…第２回動ガイド溝、４…回動軸、５…クレセント、６…操作レバー、６Ａ…トリガー部材用設置空間、６Ｂ…空掛け防止部材用設置空間、６ａ…揺動軸孔、６ｂ…バネ収容部、６ｃ…突部、７…室内障子、８…室外障子、９…空掛け防止部材、９ａ…長孔、９ｂ…係合ピン、９ｃ…バネ収容部、９ｄ…ピン係合孔、１０…トリガー部材、１０ａ…揺動軸、１０ｂ…係合ピン、１０ｃ…係止突起、１１…クレセント受け金具、１１ａ…フック
【図１】
2006057303.tif 000003
【図２】
2006057303.tif 000004
【図３】
2006057303.tif 000005
【図４】
2006057303.tif 000006
【図５】
2006057303.tif 000007
【図６】
2006057303.tif 000008
【図７】
2006057303.tif 000009
【図８】
2006057303.tif 000010
【図９】
2006057303.tif 000011
【図１０】
2006057303.tif 000012
【図１１】
2006057303.tif 000013